(57)【特許請求の範囲】
【請求項１】
チェスト本体と、該チェスト本体の頂部に配置された天板と、前記天板をチェスト本体の頂部に対し昇降自在ならしめる昇降手段を備え、昇降手段は、チェスト本体の左右側板の前後方向略中央内部に保持された固定脚と、固定脚に昇降自在に嵌装され、上端に前後方向で対称となした昇降脚座を介して天板と連結される昇降脚と、昇降脚内に上下動自在に保持された作動杆と、作動杆の上下動に連動して回動し、固定脚の上下方向に形成された複数個の係止孔に係脱自在となるよう昇降脚に回動自在に保持された係止体と、昇降脚の下端部に回動自在に保持され、昇降脚が最も上昇した時、固定脚に形成されたストッパー孔に係止して昇降脚の上昇を停止させるストッパー体と、昇降脚座に回動自在に保持され、作動杆を上下動せしめる操作杆と、昇降脚の下端部に取り付けられて昇降脚が最も下降した時には固定脚の底片の上面と当接する緩衝用キャップより構成され、ストッパー体は、固定脚に形成されたストッパー孔に係止する方向に自重によって付勢され、昇降脚が最も上昇した時には、ストッパー孔に係止するストッパー突起と、ストッパー突起がストッパー孔に係止した状態で、昇降脚の後壁に当接し、ストッパー突起のストッパー孔への係止状態を維持する係止状態維持突起を有する事を特徴とする机用サイドチェスト。
【発明の詳細な説明】
【０００１】
【発明の属する技術分野】
本発明は机用サイドチェストに関する。
【０００２】
【従来の技術】
従来、机用サイドチェストは、通常、机の天板下方に収納され、収納庫として使用されるが、デスクの作業面を拡大する必要がある場合には、机の天板下方から引出して移動し、該サイドチェストの天板により拡大された作業面を提供する。
【０００３】
ところで、サイドチェストは、机の天板下方に収納される必要があるため、該サイドチェストの天板が机の天板よりも低くなるよう構成されている。従って、サイドチェストを机の天板下方から外部に移動し、該サイドチェストの天板を作業面として利用する際、机の天板に対しサイドチェストの天板が段差を有するため、デスク作業を良好に行えないという問題がある。
【０００４】
そこで、サイドチェストを机の天板下方から外部に移動した状態で、サイドチェストの天板を机の天板とほぼ面一となるように、昇降自在に構成したのもが公知である。
【０００５】
【発明が解決しようとする課題】
そして、天板を昇降せしめる手段として図７に示すような平行リンク機構を構成したものが公知である。即ち、図７に示すサイドチェストはチェスト本体８の頂部に配置した天板１を昇降自在ならしめるように、起伏回動自在な前部リンク１１及び後部リンク１２から成る平行リンク機構を備え、前後部リンク１１、１２の起伏回動軸１３、１４をチェスト本体８側に軸支する一方、前後部リンク１１、１２の先端部を天板１側に連結回動軸１５、１６を介して連結している。従って、天板１は実線に示す下降位置と鎖線に示す上昇位置との間で昇降自在である。
【０００６】
ところで、公知の平行リンク機構によれば、机の天板とほぼ面一になるようサイドチェストの天板１を上昇せしめると、天板１がリンクの回動方向に位置ずれし、チェスト本体８の外側に大きく突出する。
【０００７】
然しながら、上昇位置における天板１の位置ずれが大きく、チェスト本体８の外側に大きく突出すると、該天板１の突出部に重量物を載置したり、使用者が椅子から立ち上がるとき手をついたりする等、天板１に上方から外力が作用したとき、チェスト本体８が転倒する。殊に、チェスト本体８の下部にキャスターを備えているような場合、滑り易いため容易に転倒し極めて危険であるという問題がある。
【０００８】
【課題を解決する為の手段】
本発明はサイドチェストにおける天板の昇降手段として、該天板を机の天板とほぼ面一になるよう上昇せしめた状態において、チェスト本体の外側に対し天板が位置ずれを起こさず、天板を机の天板と面一となった状態で、天板の上昇を停止せしめる机用サイドチェストを提供する事を目的とする。そこで、本発明が前記課題を解決するための手段として構成したところは、  チェスト本体と、該チェスト本体の頂部に配置された天板と、前記天板をチェスト本体の頂部に対し昇降自在ならしめる昇降手段を備え、昇降手段は、チェスト本体の左右側板の前後方向略中央内部に保持された固定脚と、固定脚に昇降自在に嵌装され、上端に前後方向で対称となした昇降脚座を介して天板と連結される昇降脚と、昇降脚内に上下動自在に保持された作動杆と、作動杆の上下動に連動して回動し、固定脚の上下方向に形成された複数個の係止孔に係脱自在となるよう昇降脚に回動自在に保持された係止体と、昇降脚の下端部に回動自在に保持され、昇降脚が最も上昇した時、固定脚に形成されたストッパー孔に係止して昇降脚の上昇を停止させるストッパー体と、昇降脚座に回動自在に保持され、作動杆を上下動せしめる操作杆と、昇降脚の下端部に取り付けられて昇降脚が最も下降した時には固定脚の底片の上面と当接する緩衝用キャップより構成され、ストッパー体は、固定脚に形成されたストッパー孔に係止する方向に自重によって付勢され、昇降脚が最も上昇した時には、ストッパー孔に係止して昇降脚の上昇を停止させるストッパー突起と、ストッパー突起がストッパー孔に係止した状態で、昇降脚の後壁に当接し、ストッパー突起のストッパー孔への係止状態を維持する係止状態維持突起を有するものである。
【０００９】
【実施例】
以下、添付図面に基づいて実施例を詳述する。図２に示すように、机用サイドチェストは、チェスト本体８と、該チェスト本体８の頂部に配設された天板１とを備え、天板１をチェスト本体８に対して昇降自在ならしめるよう昇降手段を備えている。尚、チェスト本体８は抽斗１７、１８、１９を備えた収納庫を構成し、下部に設けたキャスター１０により床面上を移動できる。チェスト本体８は、左右側板８１、８１と、左右側板８１、８１の後端部間に配設された後板８２と、左右側板８１、８１と後板８２の上端部に囲まれた部分に配設された頂板８３と、左右側板８１、８１と後板８２の下端部に囲まれた部分に配設され、下面４隅に前記キャスター１０が取付られる底板（図示せず。）より構成されている。
【００１０】
昇降手段は、チェスト本体８の左右側板８１、８１の前後方向略中央内部に保持される固定脚２、２と、固定脚２、２に昇降自在に嵌装され、上端に一体化された昇降脚座３１、３１を介して天板１が連結される昇降脚３、３と、昇降脚３、３内に上下動自在に保持される作動杆４、４と、作動杆４、４の上下動に連動して揺動し、固定脚２、２の上下方向に形成された複数個の係止孔２１・・・に係脱自在で昇降脚３、３に回動自在にもうけられた係止体５、５と、固定脚２、２に形成されたストッパー孔７１、７１に係脱自在で昇降脚３、３に回動自在にもうけられたストッパー体７、７と、天板１の裏面に保持され、作動杆４を上下動せしめる操作杆６、６より構成されている。尚、昇降脚３、３の下端部と、固定脚２、２の上端部間に引っ張りバネを張設し、昇降脚３、３を常に上昇方向に付勢して、天板１の引き上げを容易にする事も可能である。
【００１１】
固定脚２、２、昇降脚座３１、３１、昇降脚３、３、作動杆４、４、係止体５、５、ストッパー体７、７、操作杆６、６は左右に対向した同形に形成されているので、以下、一方側についてのみ説明する。固定脚２は、側板８１の前後方向略中央内面の上下方向に形成された嵌合凹部８４内に前後方向に若干の間隙を有して合致する、前後片２２、２２と、嵌合凹部８４の内面に当接する側片２３、底片２４よりなる、上端と内側面が開放された形状で、前後片２２、２２と、底片２４の所定位置で外方に突出し、左右側板８１の内面とネジ止めされる取付突片２５・・・が連設され、前片２２の上下方向に所定間隔を有して、前記係止体５が係止する係止孔２１・・・が形成され、後片２２の上下方向中央部にストッパー体７が係止するストッパー孔７１が形成されている。
【００１２】
符号２７は合成樹脂材より形成された、固定脚２に対し昇降脚３の昇降を円滑に行う為の滑り用キャップをしめしている。滑り用キャップ２７は、固定脚２の上端４隅内面と昇降脚３の４隅外面間に位置する振れ止め脚部２７１を有し、側板８１の上面にネジ止めされる。
【００１３】
昇降脚３は、固定脚２の内部に嵌装する前後壁３２、３２、側壁３３、下端部の底壁３４よりなる、上端と内側面が開放された断面略コ字形で、前後壁３２、３２に内側片３５、３５が連設され、必要に応じて、側壁３３の上下方向中央部やや下方位置で内側に突出して、係止体５を常に係止姿勢に付勢する係止用引っ張りバネ（図示せず。）の下端部がとりつけられるバネ下保持座３６が形成されている。そして、バネ下保持座３６のやや上方前側の側壁３３に係止体５の枢止孔３７が形成され、枢止孔３７のやや下方の前壁３２に係止体５の挿通孔３８が形成されている。
【００１４】
そして、底壁３４の下面と、側壁３３、前後壁３２、３２の下端部外面を覆い、固定脚２の内面に接触し、前記滑り用キャップ２７の振れ止め脚部２７１と共に、昇降脚３の固定脚２に対する昇降時の円滑な摺動と、振れ防止を行うと共に、昇降脚３が最も下降した時、固定脚２の底片２４との衝突を和らげるための合成樹脂製の緩衝用キャップ３０・・・が昇降脚３の下端部に取付られている。
【００１５】
緩衝用キャプ３０は、昇降脚３の前後壁３２、３２、側壁３３の下端部外面に位置する囲壁３０１と、底壁３４の下面に位置する基板３０２と、基板３０２の前後端部より下方に突出する緩衝脚部３０３、３０３と、緩衝脚部３０３、３０３間に位置する弾性脚部３０４より形成されている。
【００１６】
昇降脚座３１は前後周壁３１１、３１１と、外周壁３１２と、内周壁３１３と、天板１にネジ止めされる底周壁３１４より、上面が開口する断面上向きコ字形をなし、内周壁３１３の前後方向中央部に、内方向に突出し天板１の裏面とネジ止めされる天板連結突片３１５が連設され、底周壁３１４に形成された昇降脚３に合致する大きさの嵌入孔より、昇降脚３の上端が嵌入し、昇降脚３の上端と昇降脚座３１が溶接にて一体化され、底周壁３１４の前後端部及び天板連結突片３１５と天板１の裏面が連結された状態で、昇降脚３と天板１の連結強度のアップが計られている。
【００１７】
そして、昇降脚３が位置する内周壁３１３の前後方向中央部を底周壁３１４より下方に突出せしめ、この突出部に前記作動杆４の上端内面と操作杆６の後端部が臨む位置に上下方向に長い作動用長孔３１６が形成され、作動用長孔３１６と前後方向に等しい距離で、天板連結突片３１５の前後端部に、操作杆６の前端部を回動中心とするための操作杆支持部３１７、３１７が前後方向に突出して形成され、昇降脚３と昇降脚座３１は、左右どちら側にも使用可能となしコストダウンを計っている。この場合、昇降脚３内の係止体５は一方が固定脚２の前壁３２に係止すれば、他方は後壁３２に係止し、昇降脚３と固定脚２の係止時の安定性を向上せしめている。又、作動用長孔３１６の所定寸法内方側の天板連結突片３１５に前記操作杆６の取付状態を維持するための合成樹脂製の操作間移動規制部材３０５を取りつけるための取付孔３０６が形成されている。
【００１８】
作動杆４は合成樹脂材より形成され、前記昇降脚３の開口側の内部に位置してもうけられ、前記作動用長孔３１６を貫通して内方に突出し、中心部に貫通孔４１１を有し、操作杆６の後端部が嵌装して、回動自在に連結される作動杆連結突部４１を上端部の内面に有し、下端部に係止体５の一端を所定範囲で移動させる大きさの回動用孔４２が形成され、前後方向の下端部に前記昇降脚３の前後壁３２、３２の内面に接触する翼片４３、４３が形成され、上端部に上方に逆ハの字形に突出する弾性突片４４、４４が形成され、前後方向で対称形に構成されている。すなわち、作動杆４は昇降脚３の開放された内側面を隠蔽して美観の向上を計ると共に、内側片３５、３５の端面を覆って安全性の向上を計ると共に、左右何れか側でも使用可能となし、コストダウンを計ると共に、取付状態で弾性突片４４、４４の上端面が、天板１の下面に当接し、作動杆４が常に下方に移動するよう付勢せしめている。
【００１９】
係止体５は、係止部５１と回動部５２と作動部５３と、係止部５１が昇降脚３の係止体５の挿通孔３８より固定脚２側に突出して、係止孔２１に係合した状態で、昇降脚３の前壁３２の内面に当接し、係止部５のそれ以上の回動を阻止する当接部５４より、重心が回動中心の下方後部に位置する形状に形成され、係止部５１が挿通孔３８より常に突出する方向に回動するよう付勢され、回動部５２は、昇降脚３の枢止孔３７に回動自在に枢止連結され、作動部５３は前記作動杆の回動用孔４２に挿通し所定範囲で回動できるよう連結されている。
【００２０】
ストッパー体７は、昇降脚３の後壁３２の下端部に形成された挿通孔５０１より固定脚２の後片２２側に突出し、ストッパー孔７１に係止するストッパー突起７２と、後壁３２に当接してストッパー体７の係止状態を維持する係止状態維持突起７３と、後壁３２に当接してストッパー体７の係止状態を解除する方向への回動範囲を規制する回動規制突起７４と、回動取付部７５より、重心が回動中心の下方後部に位置する形状に形成され、ストッパー突起７２がストッパー孔７１に係止する方向に回動するよう付勢されている。
【００２１】
操作杆６、操作部６１と、操作部６１の前端に連続する回動突部６２より形成され、操作部６１の後端に、前記作動杆連結突部４１の貫通孔４１１に回動自在に嵌入する作動杆支持突部６１１が形成され、操作部６１の回動突部６２の左右側端部が、前記昇降脚座３１の操作杆支持部３１７に回動自在に保持されている。そして、操作杆６と作動杆４が連結された状態で、天板連結突片３１５の取付孔３０６に操作杆移動規制部材３０５を嵌入し、移動規制脚部３０７を操作部６１の内側に位置せしめて、操作部６１の内側方向への移動を阻止し、作動杆連結突部４１の貫通孔４１から作動杆支持突部６１１が抜け出すのを防止している。
【００２２】
本発明は上記の如く構成されており、図１に示す状態（天板１が最も下降した状態）で、昇降脚３の底壁３４の下端部に形成された緩衝用キャプ３０の下面が、固定脚２の底片２４上に当接し、天板１のそれ以上の下降を阻止している。この時、係止体５の自重、及び、弾性突片４４、４４の上端面と天板１の当接による作動杆４の下方への付勢によって、係止体５の係止部５１は挿通孔３８より固定脚２側に突出し、最下端の係止孔２１に係止するとともに、当接部５４は昇降脚３の前壁３２の内面に当接し、作動杆４の作動杆連結突部４１は昇降脚座３１の作動用長孔３１６の下端部に当接し、操作杆６の操作部６１は回動突部６２を中心に後方が下方に回動した状態となっている。
【００２３】
この状態から、天板１を持ち上げると（この時、昇降脚３と固定脚２間に張りバネを張設していると、天板１の荷重を軽減しているので、天板１を軽く持ち上げることができる。）、係止体５の係止部５１の上面は係止孔２１の上端面にて、図１において反時計廻りに回動し、固定脚２の前片２２の内面に接触しながら昇降脚３と共に上昇し、所望の高さに天板１が位置した状態で天板１の上昇動作を停止するか、やや下方に移動させると、係止体５は弾性突片４４、４４の付勢（作動杆４の下動）等によって時計廻りの方向に回動し、係止部５１が係止孔２１に係合し、当接部５４と昇降脚３の前壁３２の内面に当接し、係止部５のそれ以上の回動を阻止し、天板１を所望の高さに維持する。
【００２４】
又、天板１を最も引き上げると、係止体５は係止孔２１と係脱を繰り返しながら昇降脚３と共に上昇し、やがて、ストッパー体７は、自重によってストッパー突起７２がストッパー孔７１に係止する方向に付勢されているので、ストッパー突起７２が固定脚２のストッパー孔７１に位置すると、係止する方向に回動してストッパー孔７１内に突出すると共に、係止状態維持突起７３が後壁３２に当接して、ストッパー体７の係止状態を維持し、昇降脚３の上昇を停止させる。そして、この状態から、天板１をやや下方に移動させると、係止体５は上記同様の作動によって、最も高位置の係止孔２１に係合し、天板１が最も上昇した高さを維持する。
【００２５】
次に、天板１を下降させる時は、操作杆６の操作部６１、６１を指先で天板１と共に上方に持ち上げて、作動杆支持突部６１１、６１１及び作動杆連結突部４１を上方に移動させて作動杆４を上方に移動させる。この時、作動杆４の弾性突部４４、４４は天板１の下面に当接しているので、作動杆４の上端面と天板１の裏面との衝突による音の発生もない。そして、作動杆４の上方への移動によって、係止体５は図１で、反時計廻りの方向に回動し、係止孔２１との係合状態が解除される。
【００２６】
そして、この状態を維持しながら、天板１を持ち上げている力をゆるめると、天板１の自重によって、昇降脚３と共に天板１は下降し、操作部６１、６１から指先をはなす事により、自重と弾性突部４４、４４よって、係止体５は下方の最も近い係止孔２１に係止する。又、天板１を最も下降させると、昇降脚３の底壁３４の緩衝用キャプ３０の下面が、固定脚２の底片２４の上面に当接し、天板１のそれ以上の下降を阻止するとともに、係止体５は最も低い位置の係止孔２１に係合する。
【００２７】
一方、ストッパー体７は、ストッパー孔７１の下端面によって係止状態が解除される方向に回動し、ストッパー突起７２の端面が後片２２の内面に接触しながら、昇降脚３と共に下降する。この時、回動規制突起７４が昇降脚３の後壁３２に当接し、ストッパー体７の必要以上の回動を防止している。
【発明の効果】
本発明によれば、チェスト本体と、該チェスト本体の頂部に配置された天板と、前記天板をチェスト本体の頂部に対し昇降自在ならしめる昇降手段を備え、昇降手段は、チェスト本体の左右側板の前後方向略中央内部に保持される固定脚と、固定脚に昇降自在に嵌装され、上端に昇降脚座を介して天板と連結される昇降脚より構成されているので、天板はチェスト本体に対して外方に位置ずれをおこすことなく昇降し、天板上に重量物が載置されても、チェスト本体が転倒することなく安全である。又、天板は複数個の係止孔に係止体が順次係合するので、所望の高さを選択することができる。又、係止体は常に係止孔に係止するよう作動杆によって付勢されているので、天板を持ち上げるだけの簡単な操作で天板を上昇位置に維持することができる。又、昇降脚内に上下動自在に保持される作動杆と、作動杆の上下動に連動して係止体が回動し、係止孔から係脱自在で、作動杆を作動させる操作杆が天板裏面側に保持されているので、天板を下降させる時、操作杆と天板を同時に指先で支持できるので操作が簡単である。さらに、昇降脚が連結された昇降脚座と、作動杆を前後方向で対称形に形成し左右何れ側でも使用できるようにしているので、部材点数が削減でき、在庫管理が容易で、製造段階での組立間違いがなく、量産に適し安価に製作できる。又、昇降脚の下端部に固定脚に形成されたストッパー孔に係止する方向に自重によって回動自在に付勢されたストッパー体を設け、ストッパー体は、昇降脚が最も上昇した時には、ストッパー孔に係止するストッパー突起と、ストッパー突起がストッパー孔に係止した状態で、昇降脚の後壁に当接し、ストッパー突起のトッパー孔への係止状態を維持する係止状態維持突起を有しているので、昇降脚を勢いよく引き上げても、固定脚から抜け出す恐れはなく、従って、天板を上昇させた状態でも、本発明サイドチェストを持ち上げることが可能である。
【００３０】
【図面の簡単な説明】
【図１】昇降手段の縦断面図
【図２】本発明の斜視図
【図３】昇降手段の横断面図
【図４】昇降脚と昇降脚座と作動杆と係止体とストッパー体の斜視図
【図５】固定脚の斜視図
【図６】操作杆の斜視図
【図７】従来の昇降手段を示す説明図
【符号の説明】
１          天板
２             固定脚
２１         係止孔
３           昇降脚
３１         昇降脚座
４         作動杆
５           係止体
６           操作杆
７           ストッパー体
７２          ストッパー突起
８          チェスト本体
【図１】
0003576830.tif 000002
【図２】
0003576830.tif 000003
【図３】
0003576830.tif 000004
【図４】
0003576830.tif 000005
【図５】
0003576830.tif 000006
【図６】
0003576830.tif 000007
【図７】
0003576830.tif 000008